(57)【要約】
【課題】  価電子の量子力学的共鳴原理を応用して多量のマイナスイオンを発生し、身体の過剰プラス電荷を中和消滅（アース）して健康維持に不可欠な有効波動（生体エネルギー）を増やして安定した気の流れを造り出すことのできる健康腕輪を提供する。
【解決手段】  第一の金属で腕輪本体１を形成し、この金属の皮膚に接触する内面の一部に第二の金属３を接触固定して接触電位差を発生するように構成する。第二の金属３は、腕輪本体１の切れ目２の両端部からそれぞれ内面に沿って１〜１．５ｃｍだけ離れた位置に貼着して構成する。第二の金属３は、直径約３ｍｍ，厚さ約０．３ｍｍの薄形円形チップ状に形成したアルミニウム板であるものとする。第１の金属は、銅，バナジウム，アルミニウム等の金属材料元素によって形成したＣ形リング状の腕輪本体の表面に２４金をメッキもしくは張り等によって巻装して構成する。
【選択図】      図１
0003100767.tif 000002
【実用新案登録請求の範囲】
【請求項１】
第一の金属で切れ目を有する腕輪本体を形成し、この金属の皮膚に接触する内面の一部に第二の金属を接触固定させて接触電位差を発生させたことを特徴とする健康腕輪。
【請求項２】
第二の金属は、腕輪本体の切れ目の両端部からそれぞれ内面に沿って１〜１．５ｃｍだけ離れた位置に貼着され、
第二の金属は、直径約３ｍｍ，厚さ約０．３ｍｍの薄形円形チップ状に形成されたアルミニウム板であり、
前記第一の金属は、銅，バナジウム，アルミニウムから選択された金属材料元素によって形成されたＣ形リング状の腕輪本体の表面に２４金をメッキもしくは張り等によって巻装されて成り、前記腕輪本体は左右一対同時に着用される請求項１記載の健康腕輪。
【考案の詳細な説明】
【技術分野】
【０００１】
本考案は、材料元素の電子価（自由電子）がマイナスイオンを造ることにより自然エネルギーを増やして物質変化を安定化させ、実質変化を保守しながら健康の維持に役立つように開発され、好ましくは左右一対で着用される健康腕輪に関する。
【背景技術】
【０００２】
従来、腕輪にはこれを健康維持用の器具として利用するために、手首の皮膚面にマグネットを当てるように構成した磁気入りブレスレット等がある。
【考案の開示】
【考案が解決しようとする課題】
【０００３】
しかしながら従来においては、磁気的な効果はあるものの、身体の過剰プラス電荷を中和消滅（アース）して健康維持に役立たせる機能を有していなかった。
【０００４】
そこで本考案は叙上のような従来存した諸事情に鑑み創案されたもので、価電子の量子力学的共鳴原理を応用して多量のマイナスイオンを発生させ、身体の過剰プラス電荷を中和消滅（アース）して健康維持に不可欠な有効波動（生体エネルギー）を増やして安定した気の流れを造り出すことのできる健康腕輪を提供することを目的とする。
【課題を解決するための手段】
【０００５】
上述した目的を達成するため、本考案にあっては、第一の金属で腕輪本体１を形成し、この金属の皮膚に接触する内面の一部に第二の金属３を接触固定させて接触電位差を発生させたことを特徴とする。
第二の金属３は、腕輪本体１の切れ目２の両端部からそれぞれ内面に沿って１〜１．５ｃｍだけ離れた位置に貼着されて構成することができる。
第二の金属３は、直径約３ｍｍ，厚さ約０．３ｍｍの薄形円形チップ状に形成されたアルミニウム板であるものとすることができる。
第１の金属は、銅，バナジウム，アルミニウム等の金属材料元素によって形成されたＣ形リング状の腕輪本体の表面に２４金をメッキもしくは張り等によって巻装されて成るものとすることができる。
【０００６】
上記した構成による健康腕輪において、腕輪本体１を切れ目２を介して手首に装着したとき接触電位差の発生が手首の皮膚面において多量のマイナスイオンを発生させ、身体の過剰プラス電荷を中和消滅（アース）させる。
【考案の効果】
【０００７】
本考案は以上のように構成されているために、価電子の量子力学的共鳴原理を応用して多量のマイナスイオンを発生させ、身体の過剰プラス電荷を中和消滅（アース）して健康維持に不可欠な有効波動（生体エネルギー）を増やして安定した気の流れを造り出すことができる。
【０００８】
すなわちこれは本考案が、第一の金属で腕輪本体１を形成し、この金属の皮膚に接触する内面の一部に第二の金属３を接触固定させて接触電位差を発生させたからであり、これにより、手首に装着するだけで価電子のやりとりによる有効波動が作用し、例えば激しい労働の続く仕事，重労働の仕事，長時間運転する仕事，立ち時間や座り時間の長い仕事，神経を多く使う仕事等の場合による肉体的・精神的な疲労や目の疲れ等を確実に解消することができる。さらに、骨盤のズレの補正，筋肉の疲れの解消，生体の気の向上，神経疲労回復等にも効果がある。
【０００９】
また、人間以外に例えば犬や猫等の小動物ペット用の首輪としても使用することができ、常に元気な生活を維持することができる。さらに、発生するマイナスイオンは、滝の近くや森林等に多く存在するイオンと同じ作用を有するので、リラックスできる毎日が期待できる。
【考案を実施するための最良の形態】
【００１０】
以下、本考案を実施するための最良の形態を図面を参照して説明すると、図に示される符号１は、例えば左右一組の平均重量が約２０ｇの腕輪本体であり、材料元素の電子価（自由電子）、すなわちイオン結合・共有結合・金属結合等の価電子の結合能力を利用してマイナスイオンを造ることにより自然エネルギーを増やして物質変化を安定化させ、実質変化を保守しながら健康の維持を図るために使用されるものである。
【００１１】
この腕輪本体１は、第一の金属として、例えば銅，バナジウム，アルミニウム等の金属合金材料によって作製され、手首に装着できるよう切れ目２を介して略Ｃ形リング状に形成され、表面に２４金をメッキもしくは張り等によって巻装されて成るものとしてある。
【００１２】
尚、腕輪本体１として２４金純メッキのゴールドタイプ，バナジウム主体のシルバータイプ等のものを採用しても良い。またこの他の第一の金属として銅アルミ系，バナジウムアルミ系等でも良く、しかも四層２４金メッキ仕上げ、金属アレルギー防止メッキ等を施しても良い。さらに、手首のサイズに応じて腕輪本体１のサイズもＳサイズからＬＬサイズに至るまで各種のものが用意される。
【００１３】
腕輪本体１の皮膚に接触する内面の一部には、第一の金属とは価電子数の異なる異種金属である第二の金属３を接触固定させて接触電位差を発生させるものとしてある。具体的には、図２に示すように、第二の金属３は、直径約３ｍｍ，厚さ約０．３ｍｍの薄形円形チップ状に形成された例えばアルミニウム板を使用し、腕輪本体１の切れ目２の両端部からそれぞれ内面に沿って約１〜１．５ｃｍだけ離れた位置に例えば強力瞬間接着剤等で貼着して構成する。
【００１４】
こうして第一の金属と第二の金属３とのそれぞれの仕事関数の差に等しい接触電位差が発生し、手首皮膚面に装着した際に、身体の内外のプラス電荷を中和・消滅するための多量のマイナスイオンを発生させるものとしてある。
【００１５】
次に以上のように構成された最良の形態についての使用の一例を説明するに、図１に示すように、腕輪本体１を切れ目２を介して左右の手首にそれぞれ同じ向き、すなわち切れ目２を同じ向きにして嵌め込む。このとき接触電位差を発生させる第二の金属３が手首皮膚面に接触され、身体の内外のプラス電荷を中和・消滅するための多量のマイナスイオンを発生させる。尚、使用に際し、腕輪本体１自体を水に濡らして使用すると効果的である。
【００１６】
次に、骨盤ズレ防止実験例について説明すると、先ず、人体を俯せに寝かせ、両腕を胴の方に平行におき、両足の親指先を並べて長さのズレを測定した。このとき腕輪本体１を左右両手首に嵌めると両足の親指先が平行線上に戻った。
【００１７】
次に、筋肉の硬さを解す実験例について説明すると、先ず、腕輪本体１を付けないで前屈して両手指先のつく高さを見る。次に腕輪本体１を嵌めて同じように前屈して指先の位置を計ると、床に近くなるか床まで付くために腰や身体の筋肉硬さをやわらげることができた。また、高い所の物を取ったり上げたりするとき、腕輪本体１を付けた状態と付けない状態のそれぞれの筋肉の伸びの柔軟度の違いがはっきりとした。しかもギックリ腰等も完治した。
【００１８】
また、素材金属の波動測定結果としては、図３に示す如く成り、共にプラス１３から１５の好結果で全てランクＡを示した。
【図面の簡単な説明】
【００１９】
【図１】本考案を実施するための最良の形態における使用状態の斜視図である。
【図２】同じく腕輪本体の側面図である。
【図３】同じく波動測定結果を表で示した図である。
【符号の説明】
【００２０】
１  腕輪本体（第一の金属）  
２  切れ目
３  第二の金属
【図１】
0003100767.tif 000003
【図２】
0003100767.tif 000004
【図３】
0003100767.tif 000005